(57)【要約】【課題】      点検パネルをスライド開閉できるようにした天井点検口を提供する。【解決手段】  天井パネル２の裏面空間に対向するガイドレール４を配置して，このガイドレール４の案内によって対向するスライド部材５をスライド自在とする一方，点検パネル３５の対向する内枠３６の長手方向各２箇所にＶ字状のばねクリップ６の下端を固定し，該ばねクリップ６を上記スライド部材５に設置した各スリット５４に挿通することによって，ばねクリップ６の弾発的な拡縮でスリット５４の両端縁部に係止させ，ばねクリップ６を介して点検パネル３５をスライド部材５に支持する。点検パネル３５を押圧没入すればスライド部材５とともにガイドレール４の案内によって裏面空間に収納して点検口を開成し，逆に点検パネル３５を引出復帰すれば点検口を閉成する。【選択図】    図３
2007046333.tif 000002
【特許請求の範囲】
【請求項１】
内装パネルの裏面空間に配置したガイドレールと，該ガイドレールの案内によって点検開口背面位置から内装パネル裏面空間の収納位置に向けてスライド移動自在に配置したスライド部材と，該スライド部材に支持具を介して上記点検開口背面位置への押圧没入と点検開口閉蓋位置への引出復帰を自在に支持した点検パネルとを備えてなることを特徴とするスライド開閉自在の点検口。
【請求項２】
上記ガイドレール及びスライド部材を点検パネル幅に応じて平行に一対配置し，各スライド部材に点検パネルの対向する内枠を長手方向複数箇所でそれぞれ支持してなることを特徴とする請求項１に記載のスライド開閉自在の点検口。
【請求項３】
上記点検パネルの支持具を，該点検パネルに頂部を固定してスライド部材側にＶ字状に突設した幅方向に弾発的に拡縮自在のばねクリップによるものとし，上記スライド部材にその長手方向に向けて透設したクリップ受入用のスリットに該ばねクリップを挿入係合しその弾発的な拡縮によりスリット両端縁部に係止することによって上記点検パネルの押圧没入と引出復帰を自在としてなることを特徴とする請求項１又は２に記載のスライド開閉自在の点検口。
【請求項４】
上記ばねクリップが，少なくとも点検パネルの引出復帰位置で上記スリットの両端縁部に引掛係止する屈曲係止部を備えてなることを特徴とする請求項３に記載のスライド開閉自在の点検口。
【発明の詳細な説明】
【技術分野】
【０００１】
本発明は天井面や壁面に設置使用するスライド開閉自在の点検口に関する。
【背景技術】
【０００２】
この種点検口，例えば天井点検口は，天井下地に吊支持した外枠と，該外枠の内側に配置する内枠にパネルを装着した点検パネルとを備えたものとされ，このとき外枠と内枠との間にヒンジを介設して点検パネルを回動開閉自在とする一方，ヒンジと対向する外枠と内枠との間にラッチ金具を介設してそのロックを行い，天井の点検に際して該ラッチ金具のロックを解除することによって点検パネルを開成し，点検終了後に点検パネルを閉鎖してラッチ金具をロックすることによって該ラッチ金具と上記ヒンジによってその天井面への支持を行うものとされる。そして該ラッチ金具は，例えばマイナス溝を有する回動軸と，該回動軸に固定して回動軸の回動によって回動するラッチ片と，ラッチ片の回動によってこれを掛止めするラッチ受とを備えたものとされ，ラッチ受を外枠に，ラッチ片を有する回動軸を内枠にそれぞれ配置し，そのロックは回動軸のマイナス溝にドライバーを差込んで該回動軸を回動しこれに連れ回りするラッチ片を外枠のラッチ受に掛止め係止することによって行うものとされている。
【０００３】
【特許文献１】特開２００５−４８４９９号公報
【発明の開示】
【発明が解決しようとする課題】
【０００４】
この場合，点検パネルを開閉して点検を行うことが可能であるが，一方で点検パネルが勝手に回動開成したり，場合によっては点検パネルが落下するという危険が指摘されている。即ち点検パネルは上記ラッチ金具とヒンジによって外枠に支持されているところ，ラッチ金具のラッチ片が回動軸に設置されていることによって，点検パネルのロック時に回動軸の回動幅が不充分のために生じる掛止め係止の不良や，建物の振動による回動軸とそのラッチ片の回動等がその原因とされており，特に駅舎等の公共の場における点検パネルの回動開成や落下は極めて危険であるため，その改善が求められている。またこの場合，点検パネルの開閉に回動を伴うために外枠と点検パネルの内枠間に回動のためのちり（隙間）を配置することが必要となり，このちりが天井面に露出して納まり外観を損なうという問題点も残されている。
【０００５】
本発明はかかる事情に鑑みてなされたもので，その解決課題とするところは，点検パネルの開閉形態を異種のものとして，ラッチ金具やヒンジを用いることによる点検パネルの回動開成や落下の可能性を可及的に解消し，該点検パネルの開閉を可及的簡易な構造によって容易且つ確実になし得るようにするとともに納まり外観を可及的に向上し得るようにしたスライド開閉自在の点検口を提供するにある。
【課題を解決するための手段】
【０００６】
上記課題に沿って本発明は，天井パネル等の内装パネルの裏面に空間があることを利用し，該裏面空間にガイドレールを配置するとともに該ガイドレールにスライド自在のスライド部材を配置し，該スライド部材に対して点検パネルの裏面空間への押圧没入と内装パネル面と面一な引出復帰を自在とし，点検パネルの押圧没入による裏面空間へのスライド収納と引出復帰による点検開口の閉蓋を行うものとして，従来の回動開閉を必要とすることなく，これとは異種形態のスライド開閉を行うようにしたものであって，即ち請求項１に記載の発明を，内装パネルの裏面空間に配置したガイドレールと，該ガイドレールの案内によって点検開口背面位置から内装パネル裏面空間の収納位置に向けてスライド移動自在に配置したスライド部材と，該スライド部材に支持具を介して上記点検開口背面位置への押圧没入と点検開口閉蓋位置への引出復帰を自在に支持した点検パネルとを備えてなることを特徴とするスライド開閉自在の点検口としたものである。
【０００７】
請求項２に記載の発明は，上記に加えて，点検パネルのスライド収納を，一対のガイドレールによって行うとともに点検パネルの支持を，該一対のガイドレールにスライド自在の一対のスライド部材によって行うようにしてスライド収納と点検パネルの支持を可及的に安定したものとするように，これを，上記ガイドレール及びスライド部材を点検パネル幅に応じて平行に一対配置し，各スライド部材に点検パネルの対向する内枠を長手方向複数箇所でそれぞれ支持してなることを特徴とする請求項１に記載のスライド開閉自在の点検口としたものである。
【０００８】
請求項３に記載の発明は，同じく上記に加えて，上記点検パネルの支持具としてＶ字状をなすばねクリップを用い，そのＶ字状の頂部を点検パネルに固定する一方，上記スライド部材に形成したスリットに該ばねクリップを挿入係合し，その弾発的な拡縮によりこれをスリットの長手方向両端の縁部に係止するようにして，ばねクリップを用いるという極めて簡易にしてトラブルのない構造によって点検パネルの支持を確実になし得るものとするように，これを，上記点検パネルの支持具を，該点検パネルに頂部を固定してスライド部材側にＶ字状に突設した幅方向に弾発的に拡縮自在のばねクリップによるものとし，上記スライド部材にその長手方向に向けて透設したクリップ受入用のスリットに該ばねクリップを挿入係合しその弾発的な拡縮によりスリット両端縁部に係止することによって上記点検パネルの押圧没入と引出復帰を自在としてなることを特徴とする請求項１又は２に記載のスライド開閉自在の点検口としたものである。
【０００９】
請求項４に記載の発明は，同じく上記に加えて，ばねクリップを用いた点検パネルの支持，特に点検開口を閉蓋する引出復帰位置における点検パネルの支持を可及的確実且つ安定して行うことによって，ばねクリップを用いたことによる点検パネルの揺動やずれの発生を防止し，常に点検パネルの支持を内装パネルと面一の定位置に納まりよくなし得るものとするように，これを，上記ばねクリップが，少なくとも点検パネルの引出復帰位置で上記スリットの両端縁部に引掛係止する屈曲係止部を備えてなることを特徴とする請求項３に記載のスライド開閉自在の点検口としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，天井パネル等の内装パネルの裏面に空間があることを利用し，該裏面空間にガイドレールを配置するとともに該ガイドレールにスライド自在のスライド部材を配置し，該スライド部材に対して点検パネルの裏面空間への押圧没入と内装パネル面と面一な引出復帰を自在とし，点検パネルの押圧没入による裏面空間へのスライド収納と引出復帰による点検開口の閉蓋を行うものとして，従来の回動開閉を必要とすることなく，これとは異種形態のスライド開閉を行うようにして，ラッチ金具やヒンジを用いることによる点検パネルの回動開成や落下の可能性を可及的に解消し，該点検パネルの開閉を可及的簡易な構造によって容易且つ確実になし得るようにするとともに納まり外観を可及的に向上し得るようにしたスライド開閉自在の点検口を提供することができる。
【００１２】
請求項２に記載の発明は，上記に加えて，点検パネルのスライド収納を，一対のガイドレールによって行うとともに点検パネルの支持を，該一対のガイドレールにスライド自在の一対のスライド部材によって行うようにしてスライド収納と点検パネルの支持を可及的に安定したものとすることができる。
【００１３】
請求項３に記載の発明は，同じく上記に加えて，上記点検パネルの支持具としてＶ字状をなすばねクリップを用い，そのＶ字状の頂部を点検パネルに固定する一方，上記スライド部材に形成したスリットに該ばねクリップを挿入係合し，その弾発的な拡縮によりこれをスリットの長手方向両端の縁部に係止するようにして，ばねクリップを用いるという極めて簡易にしてトラブルのない構造によって点検パネルの支持及びその押圧没入と引出復帰を確実になし得るものとすることができる。
【００１４】
請求項４に記載の発明は，同じく上記に加えて，ばねクリップを用いた点検パネルの支持，特に点検開口を閉蓋する引出復帰位置における点検パネルの支持を可及的確実且つ安定して行うことによって，ばねクリップを用いたことによる点検パネルの揺動やずれの発生を防止し，常に点検パネルの支持を内装パネルと面一の定位置に納まりよくなし得るものとすることができる。
【発明を実施するための最良の形態】
【００１５】
以下図面の例に従って本発明を更に具体的に説明すれば，３は点検口であり，該点検口３は，内装パネルの裏面空間に配置したガイドレール４と，該ガイドレール４の案内によって点検開口背面位置から内装パネルの裏面空間の収納位置に向けてスライド移動自在に配置したスライド部材５と，該スライド部材５に支持具を介して上記点検開口背面位置への押圧没入と点検開口閉蓋位置への引出復帰を自在に支持した点検パネル３５とを備えたものとしてあり，本例にあって該点検口３は，上記ガイドレール４及びスライド部材５を点検パネル３５幅に応じて平行に一対配置し，各スライド部材５に点検パネル３５の対向する内枠３６を長手方向複数箇所でそれぞれ支持したものとしてある。
【００１６】
本例にあって点検口３は，内装パネルを天井パネル２とし，該天井パネル２に点検開口を開設し，該点検開口に，上記天井パネル２と同じ内装仕上材を設置した点検パネル３５を開閉自在に配置し，該点検パネル３５を点検開口背面位置に押圧没入してその開成を行い且つ点検開口閉蓋位置に引出復帰してその閉鎖を行うようにした，例えば上記ガイドレール４，スライド部材５，後述の外枠３１及び上記内枠３６等をアルミ押出材によって形成したアルミ製のものとしてある。
【００１７】
本例の天井パネル２は，常法に従って躯体に吊ボルト１を介して吊支持したチャンネル状の野縁受１１に設置したプレート状の野縁１２に支持することによってその設置を行ってあり，このとき点検開口の平行一対のガイドレール４設置部位にあっては，図  に示す如くに，上記野縁受１１に上記ガイドレール４を支持するとともに併せて野縁１２を支持したものとしてある。
【００１８】
即ちガイドレール４は，該ガイドレール４と，その固定用の固定部材４３によって野縁受１１に対する支持を行う一方，更に上記固定部材４３が野縁１２を支持することによって，野縁受１１に対してガイドレール４と野縁１２の双方を支持してあり，本例にあって野縁受１１に対するガイドレール４の支持は，該ガイドレール４にＬ字状突片を上向き一体に突設するとともに上記固定部材４３に同じく上向きのＬ字状突片を突設し，これらＬ字状突片の各起立片を相互に対接するとともにＬ字状突片によって野縁受１２を挟むように対称に配置してその上方部分を被嵌し，上記対接した起立片をボルトナット４２で締着固定することによって行ってある。またこのとき上記固定部材４３による野縁１２の支持は，そのＬ字状突片の下位に長手方向全長に亘ってボルト溝を開口した下向き突片と，該下向き突片に，上記野縁受１１のチャンネル溝内に納まるように設置したボルト受条４４に，ボルト頭をスライド自在に装着し，その下向き突片から突出したボルトを，プレート状の野縁１２の上端に透設したボルト透孔に挿通し，該ボルトに野縁１２側からのナットを螺装して，これらボルトナット４５の締着固定によって行ってある。
【００１９】
このように野縁受１１に支持した野縁１２は，更にその下端に上記点検開口を画し，その見切縁３２によって点検パネル３５の四周を目隠しするように配置した点検口３の外枠３１を支持したものとしてあり，本例にあって該外枠３１の支持は，該外枠３１を，その上端に上記固定部材４３におけると同様に長手方向全長にボルト受溝を開口具備したボルト受条３３を設置し，下端両側に上記見切縁３２を一体に交差突設したものとし，該ボルト受条３３に上記と同様にボルト頭を装着し，該ボルト受条３３から突出したボルトを，野縁１２の下端に透設したボルト透孔に挿通し，同じくボルトに野縁側からナットを螺装して，これらボルトナット３４の締着固定によって行ってある。
【００２０】
野縁受１１に支持したガイドレール４は，例えば断面Ｃ字状にしてその水平対向片の内面に上下のレール突条４１を対向して突設し，該レール突条４１によって上記スライド部材５の案内を行う，点検パネル３５の２倍程度又はこれより長い長さを有する長尺のものとしてあり，このときスライド部材５は，例えばＬ字状，ロ字状，逆Ｔ字状等適宜な断面形状を有する，例えば長さを点検パネル３５と同等乃至これより短く形成した長尺材によって形成し，そのガイドレール４と対向する起立部５１にスライド部材に設置したスライダーを，また該起立部５１に交差する交差部５２に支持具を介して点検パネル３５を支持したものとしてある。
【００２１】
本例にあって該スライド部材５は，これを上記起立部５１と交差部５２とをＬ字状に配置した断面Ｌ字状のものとし，その上記スライダーは，これを，例えば上記レール突条４１を受入れるガイド溝を外周に形成することによって該レール突条４１に転動自在のガイドローラー５３によるものとしてあり，本例のガイドローラー５３は，スライド部材５の長手方向両端近傍２個所にこれを設置してあり，その設置はガイドローラー５３を支持する支軸を上記起立部５１に透設した透孔に挿通し，その先端に形成したボルト部に起立部５１側からナットを螺装して，これらボルトナット５５の締着固定によって行ってある。
【００２２】
また本例にあって上記点検パネル３５の支持具は，これを，該点検パネル３５に頂部を固定してスライド部材５側にＶ字状に突設した幅方向に弾発的に拡縮自在のばねクリップ６によるものとし，上記スライド部材５，本例にあってはその上記水平の交差部５２の長手方向に向けて透設したクリップ受入用のスリット５４に該ばねクリップ６を挿入係合しその弾発的な拡縮によりスリット５４両端縁部に係止することによって上記点検パネル３５の押圧没入と引出復帰を自在としたものとしてある。このとき本例の点検パネル３５のばねクリップ６は，上記外枠３１の内側に配置し点検パネル３５における内枠３６の対向枠部の長手方向にそれぞれ２箇所配置し，またスライド部材５のスリット５４は該ばねクリップ６に対応して平行一対の対向するスライド部材５に同じくそれぞれ２箇所配置してあり，またスリット５４はばねクリップ６を常時圧縮状態とする程度の長さを有するものとしてある。
【００２３】
即ちばねクリップ６は，ばね鋼の線材を用いることによって高弾発性を有するＶ字状のものとし，その下端に位置するＶ字頂点をなす頂部を点検パネル３５に固定し，該固定部分から上向きＶ字状をなして突出するように配置するとともに該ばねクリップ６を上記スライド部材５のスリット５４に挿入して，点検パネル３５が引出復帰位置，即ち天井パネル２と面一の点検開口閉蓋位置にあるときにその上端近傍部分が，また点検パネル３５が押圧没入位置，即ちスライド収納可能位置にあるときにその中間部分がそれぞれ弾発的に拡開した状態でそれぞれ上記スリット５４の長手方向両端縁部に引掛け状に係合することによって，点検パネル３５をスライド部材５に対して昇降自在，即ち上昇による押圧没入と降下による引出復帰を自在に常時支持したものとしてある。
【００２４】
このとき本例にあって該ばねクリップ６は，上記ばねクリップ６が，少なくとも点検パネル３５の引出復帰位置で上記スリット５４の両端縁部に引掛係止する屈曲係止部６２を備えたものとし，該屈曲係止部６２によって，点検パネル３５の上記降下による引出復帰の位置決めを行って該点検パネル３５を上下方向定位置とすることによって該点検パネル３５が外枠３１の見切縁３２に衝接することなく自ずと天井パネル２と面一且つ水平に配置されるようにするとともに点検パネル３５の荷重を確実且つ安定して支持するようにしてある。
【００２５】
ばねクリップ６の屈曲係止部６２は，これを上記点検パネル３５が降下の引出復帰位置にあるとき，ばねクリップ６におけるその上端近傍の上記スリット５４係合位置を対向方向に向けて，例えばく字状，へ字状等に屈曲することによってその屈曲凹部がスリット５４の両端縁部に弾発的に圧接して上記点検パネル３５の定位置の位置決めを行うようにしてあり，このとき該屈曲凹部の下方を緩傾斜するようにして該屈曲凹部がスリット５４の両端縁部に摺接することによって屈曲係止部６２の係止解除を容易になし得るようにして該屈曲係止部６２の設置によって点検パネル３５の押圧没入が阻害されないようにしてある。
【００２６】
本例の点検パネル３５に対するばねクリップ６の頂部の固定は，上記外枠３１の内側に配置し点検パネル３５における内枠３６の対向枠部の長手方向にそれぞれ２箇所で行ってあり，該ばねクリップ６頂部の固定は，上記内枠３６におけるパネル端部上に突出するようにボルト受溝を開口具備したボルト受条３７を設置する一方，ばねクリップ６の頂部に巻き曲成することによってリング状のボルト挿通孔６２を形成し，上記ボルト受条３７に同じくボルト頭を装着し，該ボルト受条３７から突出したボルトをばねクリップ６のボルト挿通孔６２に挿通し，ボルトにばねクリップ６側からナットを螺装して，これらボルトナット３８の締着固定によって行ってある。
【００２７】
また本例にあってばねクリップ６は，上記屈曲係止部６２の上部のＶ字状先端に更に上記スリット５４からの先端抜止めストッパー６３を備えており，該先端抜止めストッパー６３は，Ｖ字状の先端を屈曲係止部６２と反対側の外側に向けて巻き曲成することによってリング状のものとしてあり，該先端抜止めストッパー６３がスリット５４の両端縁部上に位置して，例えば点検パネル３５に下向きの荷重を受けても，ばねクリップ６がスリット５４から抜けて点検パネル３５が落下したりするのを確実に防止し得るようにしてある。
【００２８】
以上のように形成した本例の天井点検口３は，その点検パネル３５を押圧すれば該点検パネル３５に固定した対応枠部に合計４個所のばねクリップ６が上向きに押され，その屈曲係止部６１がスライド部材５のスリット５４両端縁部から外れ，ばねクリップ６がその弾発性によって拡開しつつスリット５４の両端縁部に摺接しながら上昇することによって点検パネル３５が点検開口背面側に没入してスライド部材５に近接支持状態となるから，該点検パネル３５を更に横方向に押圧すれば，該スライド部材５のガイドローラー５３が転動して平行一対のガイドレール４の案内によって点検パネル３５が天井パネル２の裏面空間に収納されて点検口３の点検開口が開成されて点検作業を行うことができる。また点検作業終了後には，逆の手順で，スライド部材５の引寄せ方向の野縁１２に設置したストッパー７に点検パネル３５が対接するようにガイドレール４の案内によって点検パネル３５を点検開口背面位置に引き寄せ，該点検パネル３５を下方に引き出すようにすれば，ばねクリップ６が弾発的に圧縮しつつスリット５４の両端縁部に摺接しながらその屈曲係止部６２がスリット５４の両端縁部位置に至って弾発的に係止し点検パネル３５が天井パネル２と面一の定位置に復帰して点検開口を閉蓋するとともにガイドレール４に支持されたスライド部材５によって確実に支持されるに至る。このとき本例の天井点検口３は従来のもののように回動開閉を行わないので，外枠３１と点検パネル３５の内枠３６間にちりを必要とせず，外枠３１に内枠３６を可及的に近接して配置でき，従って納まり外観を良好にすることができる。
【００２９】
図示した例は以上のとおりとしたが，点検開口を壁面に設置することによって点検口を壁面用の点検口とすること，このとき上記天井点検口におけるガイドレールを躯体又は内装下地をなす胴縁に支持して壁パネルの裏面空間に配置し，スライド部材を該裏面空間の収納位置に横方向に移動自在とし，ばねクリップを介して点検パネルを前後方向に向けて押圧没入し且つ引出復帰するように配置すること，ガイドレールにスライド自在のスライダーを，上記ガイドローラーに代えて，ガイドレールに滑動自在のブロック状スラシ等の滑動体によるものとすること，点検パネルの，例えば点検開口位置への引き出し，点検開口からの引出復帰のために点検パネルに手掛部や道具引掛用フック等を配置してこれら引き出しを容易化するようにすること，ガイドレールを溝レールとしスライダーを該溝レールにスライド移動自在のガイドローラー又は滑動体とすること，支持具を，上記ばねクリップに代えて，例えば伸縮リンクを用いたものとすること，この場合を含めて支持具の形態に応じて押圧没入と引出復帰の位置で上記ばねクリップの屈曲係止部と同様に解除自在に支持具のロックを行うようにすること，上記ばねクリップに屈曲係止部を用いるとき，点検パネルの引出復帰位置とともに押圧没入位置にもこれを配置すること等を含めて，本発明の実施に当って，内装パネル，点検パネル，ガイドレール，スライド部材，支持具，必要に応じて用いるばねクリップ，その屈曲係止部等の各具体的形状，構造，材質，これらの関係，これらに対する付加等は上記発明の要旨に反しない限り様々の形態のものすることができる。
【図面の簡単な説明】
【００３０】
【図１】スライド部材による点検口パネルの支持状態を示すばねクリップ交差側の縦断面図である。
【図２】スライド部材による点検口パネルの支持状態を示すばねクリップ正面側の縦断面図である。
【図３】点検口パネルとばねクリップの関係を示すばねクリップ正面側の縦断面図である。
【符号の説明】
【００３１】
２  天井パネル
３  点検口
３５  点検パネル
４  ガイドレール
５  スライド部材
５３  ガイドローラー
５４  スリット
６  ばねクリップ
６１  ボルト挿通孔
６２  屈曲係止部  
【図１】
2007046333.tif 000003
【図２】
2007046333.tif 000004
【図３】
2007046333.tif 000005